(57)【要約】【課題】本発明は捲って収納できるテーブルクロスをを提供した。【解決手段】サポート柱と、ベースに固定的に設置されるテーブル及びそれぞれ前記テーブルの底部端面の両側に固定的に設置される左取り付けブロックと右取り付けブロックを含み、前記テーブルの左側端面には外部に連通するあり溝が設置され、前記あり溝の中には燕尾状ブロックがスライドできるように装着され、前記あり溝の内底壁には前記燕尾状ブロックと固定的に連結される第一押圧バネが設置され、前記燕尾状ブロックの左側端面には外部まで伸びている踏板が設置され、また前記燕尾状ブロックの右側端面には第一ラックが固定的に設置され、本発明装置の構成が簡単で、使いやすく、速やかにテーブルクロスを取り換えることを実現できる。【選択図】図１
2020175063.tif 000002
【特許請求の範囲】
【請求項１】
サポート柱と、ベースに固定的に設置されるテーブル及びそれぞれ前記テーブルの底部端面の両側に固定的に設置される左取り付けブロックと右取り付けブロックを含み、前記テーブルの左側端面には外部に連通するあり溝が設置され、前記あり溝の中には燕尾状ブロックがスライドできるように装着され、前記あり溝の内底壁には前記燕尾状ブロックと固定的に連結される第一押圧バネが設置され、前記燕尾状ブロックの左側端面には外部まで伸びている踏板が設置され、また前記燕尾状ブロックの右側端面には第一ラックが固定的に設置され、前記テーブルの中にはスライド溝が設置され、前記スライド溝の内頂壁には空チャンバが連通し設置され、前記スライド溝の中にはスライド板がスライドできるように装着され、前記スライド板の頂部端面の中には駆動モーターが設置され、前記駆動モーターの頂部には第一傘歯車が動力が伝達できるように連結され、前記スライド板の左側端面には第二ラックが設置され、前記あり溝と前記スライド溝との間には第一回転チャンバが連通し設置され、前記第一回転チャンバの中には第一回転軸により前記第一ラックと前記第二ラックと噛み合う回転歯車が回転できるように装着され、前記左取り付けブロックの中にはロック機構が設置され、前記右取り付けブロックの中には巻き機構が設置されることを特徴とする捲って収納できるテーブルクロス。
【請求項２】
前記ロック機構は前記左取り付けブロックの中に設置され、且つ左方に開口した左取り付け溝を含み、前記左取り付け溝の前後端壁の中には第一連通溝が対称的に設置され、前記第一連通溝の右側内壁の中には第一半円形凹溝が連通し設置され、前後二つの前記第一半円形凹溝の中には左回転ロッドが回転できるように装着され、前記左回転ロッドには左巻き筒と、前記左巻き筒の後側に位置するロック歯車が固定的に設置され、前記左巻き筒にはテーブルクロスが巻いてあり、
前記左取り付け溝の内頂壁には伸縮溝が設置され、前記伸縮溝の中には伸縮アームがスライドできるように装着され、前記伸縮アームの底部には前記ロック歯車と係合されるロック歯が設置され、前記伸縮溝の内底壁には前記伸縮アームと固定的に連結される第二押圧バネが設置され、
前記伸縮溝と前記あり溝との間には貫通溝が連通し設置され、前記貫通溝の中には定滑車が回転できるように係合し装着され、前記定滑車には細引きが周設され、前記細引きの一端が前記伸縮アームと固定的に連結され、またもう一端が前記燕尾状ブロックと固定的に連結されることを特徴とする請求項１に記載の捲って収納できるテーブルクロス。
【請求項３】
前記巻き機構は前記右取り付けブロックに設置され、且つ右方に開口した右取り付け溝を含み、前記右取り付け溝の前後端壁の中には第二連通溝が対称的に設置され、前記第二連通溝の左側内壁の中には第二半円形凹溝が連通し設置され、前後二つの前記第二半円形凹溝の中には右回転ロッドが回転できるように装着され、前記右回転ロッドには右巻き筒と、前記右巻き筒の後側に位置する第二傘歯車とが固定的に設置され、
前記右取り付けブロックと前記サポート柱との間には横梁が固定的に装着され、前記横梁の中には第二回転チャンバが設置され、前記第二回転チャンバの中には第二回転軸が回転できるように係合し装着され、前記第二回転軸の左側端が前記空チャンバの中に插入され、また前記第二回転軸の左側端には第三傘歯車が固定的に設置され、前記第二回転軸の右側端が前記右取り付け溝に插入され、また前記第二回転軸の右側端には前記第二傘歯車と噛み合う第四傘歯車が固定的に設置されることを特徴とする請求項１に記載の捲って収納できるテーブルクロス。
【請求項４】
前記テーブルの左右両側にはそれぞれ上下に貫通している左連通チャンバと右連通チャンバが設置され、前記左連通チャンバと右連通チャンバとの中にはそれぞれ左リールと右リールが回転できるように係合し装着されることを特徴とする請求項１に記載の捲って収納できるテーブルクロス。
【発明の詳細な説明】
【技術分野】
【０００１】
本発明は生活用品技術分野に関わり、具体的には捲って収納できるテーブルクロスである。
【背景技術】
【０００２】
今のレストランでは使い捨てテーブルクロスをよく使い、使用されたテーブルクロスを速やかに取り換えなければならなく、伝統的には人工により使い捨てテーブルクロスを取り換えるが、その取り換えステップは煩雑で、効率も低く、人件費の節約に不利であり、また、取り換えられたテーブルクロスは速やかに巻かれることができなく、占用した空間が比較的に大きく、清潔も保証できない欠点があって、改善が必要である。
【先行技術文献】
【特許文献】
【０００３】
【特許文献１】中国特許出願公開第１０７５８１８４８ 号明細書
【発明の概要】
【発明が解決しようとする課題】
【０００４】
上記技術の不足に対して、本発明は捲って収納できるテーブルクロスを開示した。
【課題を解決するための手段】
【０００５】
本発明の捲って収納できるテーブルクロスは、サポート柱と、ベースに固定的に設置されるテーブル及びそれぞれ前記テーブルの底部端面の両側に固定的に設置される左取り付けブロックと右取り付けブロックを含み、前記テーブルの左側端面には外部に連通するあり溝が設置され、前記あり溝の中には燕尾状ブロックがスライドできるように装着され、前記あり溝の内底壁には前記燕尾状ブロックと固定的に連結される第一押圧バネが設置され、前記燕尾状ブロックの左側端面には外部まで伸びている踏板が設置され、また前記燕尾状ブロックの右側端面には第一ラックが固定的に設置され、前記テーブルの中にはスライド溝が設置され、前記スライド溝の内頂壁には空チャンバが連通し設置され、前記スライド溝の中にはスライド板がスライドできるように装着され、前記スライド板の頂部端面の中には駆動モーターが設置され、前記駆動モーターの頂部には第一傘歯車が動力が伝達できるように連結され、前記スライド板の左側端面には第二ラックが設置され、前記あり溝と前記スライド溝との間には第一回転チャンバが連通し設置され、前記第一回転チャンバの中には第一回転軸により前記第一ラックと前記第二ラックと噛み合う回転歯車が回転できるように装着され、前記左取り付けブロックの中にはロック機構が設置され、前記右取り付けブロックの中には巻き機構が設置される。
【０００６】
さらなる技術方案には、前記ロック機構は前記左取り付けブロックの中に設置され、且つ左方に開口した左取り付け溝を含み、前記左取り付け溝の前後端壁の中には第一連通溝が対称的に設置され、前記第一連通溝の右側内壁の中には第一半円形凹溝が連通し設置され、前後二つの前記第一半円形凹溝の中には左回転ロッドが回転できるように装着され、前記左回転ロッドには左巻き筒と、前記左巻き筒の後側に位置するロック歯車が固定的に設置され、前記左巻き筒にはテーブルクロスが巻いてある。
【０００７】
前記左取り付け溝の内頂壁には伸縮溝が設置され、前記伸縮溝の中には伸縮アームがスライドできるように装着され、前記伸縮アームの底部には前記ロック歯車と係合されるロック歯が設置され、前記伸縮溝の内底壁には前記伸縮アームと固定的に連結される第二押圧バネが設置される。
【０００８】
前記伸縮溝と前記あり溝との間には貫通溝が連通し設置され、前記貫通溝の中には定滑車が回転できるように係合し装着され、前記定滑車には細引きが周設され、前記細引きの一端が前記伸縮アームと固定的に連結され、またもう一端が前記燕尾状ブロックと固定的に連結される。
【０００９】
さらなる技術方案には、前記巻き機構は前記右取り付けブロックに設置され、且つ右方に開口した右取り付け溝を含み、前記右取り付け溝の前後端壁の中には第二連通溝が対称的に設置され、前記第二連通溝の左側内壁の中には第二半円形凹溝が連通し設置され、前後二つの前記第二半円形凹溝の中には右回転ロッドが回転できるように装着され、前記右回転ロッドには右巻き筒と、前記右巻き筒の後側に位置する第二傘歯車とが固定的に設置される。  
【００１０】
前記右取り付けブロックと前記サポート柱との間には横梁が固定的に装着され、前記横梁の中には第二回転チャンバが設置され、前記第二回転チャンバの中には第二回転軸が回転できるように係合し装着され、前記第二回転軸の左側端が前記空チャンバの中に插入され、また前記第二回転軸の左側端には第三傘歯車が固定的に設置され、前記第二回転軸の右側端が前記右取り付け溝に插入され、また前記第二回転軸の右側端には前記第二傘歯車と噛み合う第四傘歯車が固定的に設置される。
【００１１】
さらなる技術方案には、前記テーブルの左右両側にはそれぞれ上下に貫通している左連通チャンバと右連通チャンバが設置され、前記左連通チャンバと右連通チャンバとの中にはそれぞれ左リールと右リールが回転できるように係合し装着される。
【発明の効果】
【００１２】
上記により、本発明装置の構成が簡単で、使いやすく、速やかにテーブルクロスを取り換えることを実現でき、清潔を保証できるうえに、労働強度を大幅に下げ、人件費を削減することができる。
【図面の簡単な説明】
【００１３】
本発明をより易しく説明できるため、下記の具体的な実施例及び附図を合わせて説明する。
【００１４】
【図１】図１は本発明の捲って収納できるテーブルクロスの構成概略図
【図２】図２は図１のＡ−Ａのところの構成概略図
【図３】図３は図１のＢ−Ｂのところの構成概略図
【００１５】
図１−３に示すように、本発明の捲って収納できるテーブルクロスは、サポート柱１１と、ベース１０に固定的に設置されるテーブル５１及びそれぞれ前記テーブル５１の底部端面の両側に固定的に設置される左取り付けブロック３１と右取り付けブロック４１を含み、前記テーブル５１の左側端面には外部に連通するあり溝１２が設置され、前記あり溝１２の中には燕尾状ブロック１４がスライドできるように装着され、前記あり溝１２の内底壁には前記燕尾状ブロック１４と固定的に連結される第一押圧バネ１３が設置され、前記燕尾状ブロック１４の左側端面には外部まで伸びている踏板１５が設置され、また前記燕尾状ブロック１４の右側端面には第一ラック１４１が固定的に設置され、前記テーブル５１の中にはスライド溝２２が設置され、前記スライド溝２２の内頂壁には空チャンバ２３が連通し設置され、前記スライド溝２２の中にはスライド板１８がスライドできるように装着され、前記スライド板１８の頂部端面の中には駆動モーター２０が設置され、前記駆動モーター２０の頂部には第一傘歯車２１が動力が伝達できるように連結され、前記スライド板１８の左側端面には第二ラック１８１が設置され、前記あり溝１２と前記スライド溝２２との間には第一回転チャンバ１６が連通し設置され、前記第一回転チャンバ１６の中には第一回転軸１７により前記第一ラック１４１と前記第二ラック１８１と噛み合う回転歯車１９が回転できるように装着され、前記左取り付けブロック３１の中にはロック機構６０が設置され、前記右取り付けブロック４１の中には巻き機構７０が設置される。
【００１６】
有益なように、前記ロック機構６０は前記左取り付けブロック３１の中に設置され、且つ左方に開口した左取り付け溝３２を含み、前記左取り付け溝３２の前後端壁の中には第一連通溝３５が対称的に設置され、前記第一連通溝３５の右側内壁の中には第一半円形凹溝４０が連通し設置され、前後二つの前記第一半円形凹溝４０の中には左回転ロッド３３が回転できるように装着され、前記左回転ロッド３３には左巻き筒３４と、前記左巻き筒３４の後側に位置するロック歯車３９が固定的に設置され、前記左巻き筒３４にはテーブルクロス５２が巻いてある。
【００１７】
前記左取り付け溝３２の内頂壁には伸縮溝３６が設置され、前記伸縮溝３６の中には伸縮アーム３８がスライドできるように装着され、前記伸縮アーム３８の底部には前記ロック歯車３９と係合されるロック歯が設置され、前記伸縮溝３６の内底壁には前記伸縮アーム３８と固定的に連結される第二押圧バネ３７が設置される。
【００１８】
前記伸縮溝３６と前記あり溝１２との間には貫通溝３０が連通し設置され、前記貫通溝３０の中には定滑車２８が回転できるように係合し装着され、前記定滑車２８には細引き２９が周設され、前記細引き２９の一端が前記伸縮アーム３８と固定的に連結され、またもう一端が前記燕尾状ブロック１４と固定的に連結される。
【００１９】
有益なように、前記巻き機構７０は前記右取り付けブロック４１に設置され、且つ右方に開口した右取り付け溝４２を含み、前記右取り付け溝４２の前後端壁の中には第二連通溝４５が対称的に設置され、前記第二連通溝４５の左側内壁の中には第二半円形凹溝４６が連通し設置され、前後二つの前記第二半円形凹溝４６の中には右回転ロッド４３が回転できるように装着され、前記右回転ロッド４３には右巻き筒４４と、前記右巻き筒４４の後側に位置する第二傘歯車４８とが固定的に設置される。
【００２０】
前記右取り付けブロック４１と前記サポート柱１１との間には横梁２６が固定的に装着され、前記横梁２６の中には第二回転チャンバ２７が設置され、前記第二回転チャンバ２７の中には第二回転軸２５が回転できるように係合し装着され、前記第二回転軸２５の左側端が前記空チャンバ２３の中に插入され、また前記第二回転軸２５の左側端には第三傘歯車２４が固定的に設置され、前記第二回転軸２５の右側端が前記右取り付け溝４２に插入され、また前記第二回転軸２５の右側端には前記第二傘歯車４８と噛み合う第四傘歯車４７が固定的に設置される。
【００２１】
有益なように、前記テーブル１０の左右両側にはそれぞれ上下に貫通している左連通チャンバ４９と右連通チャンバ５５が設置され、前記左連通チャンバ４９と右連通チャンバ５５との中にはそれぞれ左リール５０と右リール５４が回転できるように係合し装着される。
【００２２】
装着する時、左回転ロッド３３を前記第一連通溝３５を通して前記第一半円形凹溝４０の中にプッシュし、それと同時に前記右回転ロッド４３を前記第二連通溝４５を通して前記第二半円形凹溝４６の中にプッシュし、それから前記テーブルクロス５２を前記左リール５０、前記右リール５４の順で巻いた後、前記右巻き筒４４と固定的に連結する。（普通にはゴムのりを用いて連結する）
【００２３】
テーブルクロスを取り換える時、足で前記踏板１５を踏むことにより、前記踏板１５が前記燕尾状ブロック１４を連動させて下へスライドさせ、前記燕尾状ブロック１４が下へスライドした後に前記細引き２９により前記伸縮アーム３８を引き動かして上へスライドさせることができる上に、前記回転歯車１９により前記スライド板１８を駆動して前記駆動モーター２０を連動させて上へスライドさせることもでき、前記燕尾状ブロック１４の底部端面と前記あり溝１２の内底壁とが当接している時、前記ロック歯が前記ロック歯車３９から離れ、前記第一傘歯車２１が前記第三傘歯車２４と噛み合い、この時、前記駆動モーター２０をコントロールして前記第一傘歯車２１を連動させて前記第三傘歯車２４を駆動して前記第二回転軸２５と、前記第四傘歯車４７と、前記第二傘歯車４８と、右回転ロッド４３と、前記右回転筒４４とを連動させ回転させ、前記右回転筒４４が回転した後に使用されたテーブルクロス５２を巻き、それにより速やかにテーブルクロスを取り換えられる。
【００２４】
取り換え終わった後、足が前記踏板１５から離れ、この時、前記第一押圧バネ１３の押圧により、前記燕尾状ブロック１４の頂部端面と前記あり溝１２の内頂壁とが当接し、前記第二押圧バネ３７の押圧により、前記ロック歯が前記ロック歯車３９をロックし、それにより、前記テーブルクロス５２を引っ張ることで前記左巻き筒３４に意外の回転を発生させ、それにより前記テーブルクロス５２が皴だらけになったり破壊されたりすることを防止でき、実用性を大幅に高める。
【００２５】
上記により、本発明装置の構成が簡単で、使いやすく、速やかにテーブルクロスを取り換えることを実現でき、清潔を保証できるうえに、労働強度を大幅に下げ、人件費を削減することができる。
【００２６】
上記に述べたことは、ただ発明の具体的な実施方式であり、但し発明の保護範囲はこれに限定されるものではなく、創造的な労働を通さない場合で想到できるすべての変化または入れ替わりはいずれも発明の保護範囲に含むべきである。そのため、発明の保護範囲は請求項に限定した保護範囲を基準とするベきである。
【図１】
2020175063.tif 000003
【図２】
2020175063.tif 000004
【図３】
2020175063.tif 000005